(57)【要約】【課題】パラペットを損傷させるおそれが少なく、また、パラペットから外れてしまうおそれも少ない親綱張設装置を提供する。【解決手段】外周部にパラペット２００を備えた外部床１００上に略水平な親綱５０を張設する為の親綱張設装置１であって、パラペット２００の外側面２０２に当接する外側当接部２２及びパラペット２００の内側面２０４に当接する内側当接部２４によってパラペット２００を挟掴する挟掴部２と、外部床１００の表面に当接する床当接部３と、親綱５０を保持する親綱保持部４と、を備える。【選択図】図３
2015166541.tif 000002
【特許請求の範囲】
【請求項１】
外周部にパラペットを備えた外部床上に略水平な親綱を張設する為の親綱張設装置であって、
前記パラペットの外側面に当接する外側当接部及び前記パラペットの内側面に当接する内側当接部によって前記パラペットを挟掴する挟掴部と、
前記外部床の表面に当接する床当接部と、
前記親綱を保持する親綱保持部と、
を備えることを特徴とする親綱張設装置。
【請求項２】
前記床当接部は、前記パラペットと前記外部床とによって形成される入隅部に当接するように構成されたことを特徴とする請求項１に記載の親綱張設装置。
【請求項３】
前記外部床には、前記パラペットに沿って溝が形成されており、
前記床当接部は、前記溝の立ち上がり部に当接することを特徴とする請求項１または２に記載の親綱張設装置。
【請求項４】
前記親綱保持部は、前記外部床の表面近傍に位置するように設けられたことを特徴とする請求項１から３のいずれか一項に記載の親綱張設装置。
【請求項５】
前記床当接部は、前記パラペットの延在方向に所定の巾を有しており、
前記親綱保持部は、前記所定の巾の中央付近に位置するように設けられたことを特徴とする請求項１から４のいずれか一項に記載の親綱張設装置。
【請求項６】
前記挟掴部はボルトの螺入度合いにより前記内側当接部と前記外側当接部との間隔を調整する間隔調整機構を有し、
前記ボルトは、その軸方向が前記パラペットの内側面に対して直交するとともに、内側方向を向く突端が開放された略Ｃ字状の頭部を有することを特徴とする請求項１から５のいずれか一項に記載の親綱張設装置。
【発明の詳細な説明】
【技術分野】
【０００１】
本発明は、親綱張設装置に関する。
【背景技術】
【０００２】
建物の屋上といった高所での作業の際、作業員の安全帯のフックを掛けるための親綱が利用されている。また、親綱を張設するための装置として、屋根のパラペット（建物の屋上、テラスのへり等に設けられた比較的低い障壁）を挟んで取り付けるようにした親綱張設用金具が提案されている（例えば特許文献１参照）。
【先行技術文献】
【特許文献】
【０００３】
【特許文献１】実公平６−７１３７号公報
【発明の概要】
【発明が解決しようとする課題】
【０００４】
しかしながら、上述した親綱張設用金具は、パラペットの上端付近を挟んでおり、親綱の張力が大きい場合には、パラペットの根元部分に作用する曲げモーメントが過大となり、パラペットを損傷させる虞があった。また、親綱張設用金具はパラペットを挟んでいるだけであり、親綱張設用金具が回転して外れてしまう虞もあった。
【０００５】
そこで、本発明は、パラペットを損傷させるおそれが少なく、また、パラペットから外れてしまうおそれも少ない親綱張設装置を提供することを目的とする。
【課題を解決するための手段】
【０００６】
上記課題を解決すべく、本発明は、外周部にパラペットを備えた外部床上に略水平な親綱を張設する為の親綱張設装置であって、
前記パラペットの外側面に当接する外側当接部及び前記パラペットの内側面に当接する内側当接部によって前記パラペットを挟掴する挟掴部と、
前記外部床の表面に当接する床当接部と、
前記親綱を保持する親綱保持部と、を備えることを特徴とする。
【０００７】
この親綱張設装置によれば、親綱の張力（による装置を内側に倒そうとする力）に対する反力を床当接部によって外部床にも負担させることができ、パラペットの根元部分に作用する曲げモーメントを小さくすることができる。
【０００８】
前記床当接部は、前記パラペットと前記外部床とによって形成される入隅部に当接するように構成されていてもよい。この場合の床当接部は、内側当接部に近接しており、内側に大きく張り出さないので外部床上での移動や作業の邪魔にならない。
【０００９】
前記外部床には、前記パラペットに沿って溝が形成されており、前記床当接部は、前記溝の立ち上がり部に当接していてもよい。このような親綱張設装置によれば、立ち上がり部によって、親綱による張力に対する反力をより得やすくなる。
【００１０】
前記親綱保持部は、前記外部床の表面近傍に位置するように設けられていてもよい。親綱保持部が外部床面から離れた高い位置に設けられている場合に比べると、このように構成された親綱張設装置においては当該親綱張設装置が回転してパラペットから外れることが抑制されるようになる。
【００１１】
前記床当接部は、前記パラペットの延在方向に所定の巾を有しており、前記親綱保持部は、前記所定の巾の中央付近に位置するように設けられていてもよい。この場合には、親綱の張力のうちパラペットの延在方向に働く成分によって、親綱張設装置がパラペットの延在する面内において、回転させようとするモーメントがはたらいても、床当接部が外部床に当接して回転を抑制できる。
【００１２】
前記挟掴部はボルトの螺入度合いにより前記内側当接部と前記外側当接部との間隔を調整する間隔調整機構を有し、前記ボルトは、その軸方向が前記パラペットの内側面に対して直交するとともに、内側方向を向く突端が開放された略Ｃ字状の頭部を有するものであってもよい。この場合、略Ｃ字状の頭部にシノ等の工具を差し込んで回転させることでボルトの螺入する作業を容易にすることができる。また、突端が開放されているので、誤って親綱を張ることも抑制できる。
【発明の効果】
【００１３】
本発明によれば、パラペットを損傷させるおそれが少なく、また、パラペットから外れてしまうおそれも少ない。
【図面の簡単な説明】
【００１４】
【図１】外部床のパラペットに一対の親綱張設装置を設け、これら親綱張設装置を利用して親綱を張設した様子を示す平面図である。
【図２】図１中のII-II線からみたパラペット、親綱張設装置、親綱等を示す図である。
【図３】パラペットを挟掴した状態の親綱張設装置を示す図である。
【図４】図３に示した親綱張設装置の平面図である。
【図５】図３に示した親綱張設装置の右側面図である。
【図６】床当接部の傾斜が、外部床の入隅部の溝の傾斜と一致していない場合の親綱張設装置の例を示す図である。
【発明を実施するための形態】
【００１５】
以下、図面を参照しつつ本発明の実施形態について詳細に説明する。
【００１６】
図１〜図６に本発明に係る親綱張設装置１の実施形態を示す。親綱張設装置１は、外周部にパラペット２００を備えた外部床１００上に略水平な親綱５０を張設する為の装置である。
【００１７】
親綱張設装置１が設置される外部床１００は、例えば建物の屋根部や屋上などに形成された屋外の床部分をいう。外部床１００の外周部には、当該外部床１００を覆うようにパラペット２００が設けられている（図１、図２等参照）。本実施形態におけるパラペット２００は例えば（ＲＣに比べて強度が小さいＡＬＣ（Autoclaved Light weight Concrete、軽量気泡コンクリート）によって形成されている。パラペット２００には、当該建物等の中心側（外部床１００のある側）を向く面である内側面２０４と、これとは逆に外側を向く面である外側面２０２とが形成されている（図３等参照）。
【００１８】
また、パラペット２００の上部には笠木２０６が形成されている。笠木２０６は例えばアルミニウム等の金属製である。本実施形態における笠木２０６は、パラペット２００の厚み（外側面２０２と内側面２０４との間隔）より幅広に形成されている（図２、図３等参照）。
【００１９】
このようなパラペット２００に対して着脱可能であるが本実施形態の親綱張設装置１は、挟掴部２、床当接部３、親綱保持部４などを含む構成となっている。
【００２０】
挟掴部２は、パラペット２００を外側および内側から把持して当該親綱張設装置１をパラペット２００上に固定する部材である。本実施形態の挟掴部２は、パラペット２００の外側面２０２に当接する外側当接部２２と、パラペット２００の内側面２０４に当接する内側当接部２４とを備えている（図３等参照）。
【００２１】
挟掴部２のこれら外側当接部２２と内側当接部２４は、パラペット２００を内側と外側から挟み込むように形成された外側脚部１２と内側脚部１４に、互いに対向するように設けられている（図３等参照）。外側当接部２２の表面には弾性体２２ａが設けられている。同様に、内側当接部２４の表面にも弾性体２４ａが設けられている。
【００２２】
また、内側当接部２４は、内側脚部１４の下端部付近に配置され、外側当接部２２は、該内側脚部１４よりさらに低くなるように外側脚部１２に配置されている。このため、これら外側当接部２２と内側当接部２４によれば、パラペット２００の上部の笠木２０６の近傍ではなく、それよりも下方となる位置（パラペット２００の根元に近い位置）を挟掴するがことが可能となっている（図３参照）。
【００２３】
なお、外側当接部２２と内側当接部２４とを同じ高さとなるように配置してもよいが、上述したように、本実施形態では内側当接部２４よりも低い位置に外側当接部２２を配置し、両者をオフセットさせた状態でパラペット２００を挟掴する構成としている（図３等参照）。本実施形態の親綱張設装置１は、後述する床当接部３と相俟って、パラペット２００を損傷させることなく、尚かつパラペット２００から外れ難い親綱張設装置１を実現している（図３等参照）。
【００２４】
さらに、外側当接部２２は、外側脚部１２から内側へ向けて突出し、内側当接部２４は、内側脚部１４から外側へ突出した構造となっている。また、これら外側当接部２２と内側当接部２４は、笠木２０６の水平方向突出量を超える程度に水平方向内側へ突出するようになっている（図３等参照）。このように、外側脚部１２と内側脚部１４とが側面視でチャネル形状（コの字形状）に形成され、これら外側脚部１２と内側脚部１４の下端付近に外側当接部２２と内側当接部２４と対向するように突出した構造である本実施形態の親綱張設装置１によれば、笠木２０６に干渉することなく、パラペット２００の根元に近い部分を挟掴することができる（図３等参照）。
【００２５】
また、挟掴部２は、間隔調整機構２６を備える。間隔調整機構２６は、挟掴部２の外側当接部２２と内側当接部２４の間隔を調整するためのもので、これにより、親綱張設装置１をパラペット２００に取り付け、パラペット２００から取り外すことができるようにしている。本実施形態では、ボルト２８の回転量に応じてこれら外側当接部２２と内側当接部２４の間隔を調整できるようにした間隔調整機構２６を採用しており、ボルト２８の螺入の度合いにより外側当接部２２と内側当接部２４との間隔を調整可能としている（図３参照）。
【００２６】
ボルト２８は、その軸方向がパラペット２００の内側面２０４に対して直交しており、尚かつ、内側方向を向く突端が開放された略Ｃ字形状の頭部２８ａを有している（図３、図５参照）。この場合、略Ｃ字形状の頭部２８ａに工具等を差し込んで回転させることでボルト２８を所定方向に回して螺入させるという作業を用意に行うことが可能となる。このように、略Ｃ字形状とした頭部２８ａは、外側当接部２２と内側当接部２４の間隔を変えるやすくなる結果、親綱張設装置１をパラペット２００に取り付けたりパラペット２００から取り外したりする作業がより行いやすく迅速なものとなる。
【００２７】
さらに付言すると、ボルト２８の頭部２８ａが環状であると当該頭部２８ａに親綱の一端を過って取り付けてしまうことが起こり得るが、このように一部が開環した形状の頭部２８ａであれば親綱の一端を過って取り付けてしまうようなことがない。したがって、取り付け位置を過って作業にロスが生じるのを回避することができる。
【００２８】
親綱張設装置１の床当接部３は、外部床１００の表面に当接する部位である。親綱５０を張設した場合、親綱張設装置１には引っ張り力が働き、当該親綱張設装置１を内側に倒そうとする力が作用するが、このときの抗力（反力）を、床当接部３を介して外部床１００にも負担させることができる。このため、親綱５０の張力に起因してパラペット２００の根元部分に作用する曲げモーメントを小さくすることができる。
【００２９】
また、床当接部３の両側には例えば略三角形の二枚で一対の補強板３２が設けられている（図３等参照）。この補強板３２は、床当接部３が変形するのを抑止する補強材として機能する。本実施形態の補強板３２には、両方の補強板３２を貫通するようにボルト４２が取り付けられている。
【００３０】
床当接部３には、外部床１００の表面との摩擦を向上させる弾性体３０が取り付けられている（図３等参照）。弾性体３０における外部床１００との接触面には、例えば、摩擦を大きく向上させるべく、規則的に並ぶ複数のＶ形状の突起が設けられる等していてもよい。
【００３１】
この床当接部３は、パラペット２００の延在方向（建物の屋上などにおける当該パラペット２００の連続して形成されている方向（図１、図４、図５において符号Ａで示す）に所定の巾Ｗを有している（図４等参照）。ここでいう所定の巾Ｗの具体的数値はサイズ、張力などの種々の条件に応じてかわりうるものであるが、少なくとも、張設された親綱５０の張力に反して親綱張設装置１を安定して支えるのに十分な巾である。
【００３２】
また、パラペット２００と外部床１００とによって入隅部１５０が形成されている場合、床当接部３は、該入隅部１５０に当接するように構成されていてもよい。本実施形態では、排水に適した傾斜をもつ溝１５２が入隅部１５０に設けられており、これに対して床当接部３は、該入隅部１５０の溝１５２と同等に傾斜してこの溝１５２の表面全面的に接触するように構成されている（図３参照）。このような床当接部３は、内側当接部２４に近接しており、内側に大きく張り出さない構成となっているため外部床１００上での移動や作業の邪魔になりづらい（図２、図３参照）。
【００３３】
また、本実施形態の親綱張設装置１における床当接部３は、その先端部３ａが、溝１５２の立ち上がり部（溝１５２の底と上端との間の段差形成部）１５２ａまたはその近傍に当接するように構成されている（図３参照）。このような親綱張設装置１によれば、立ち上がり部１５２ａによって、親綱５０による張力に対する反力をより得やすくなる。
【００３４】
なお、以上は床当接部３の好適な形態の一例にすぎず、この他の形態であっても構わない。例えば、親綱張設装置１の床当接部３の傾斜は、入隅部１５０の溝１５２の傾斜と一致していなくても構わないし、この結果、床当接部３が入隅部１５０の溝１５２の表面に全面的に接触していなくても構わない。ただし、その場合でも、親綱張設装置１を内側に倒そうとする力に対して十分な抗力（反力）を得る観点からすれば、床当接部３の先端部３ａが外部床１００（上述した立ち上がり部１５２ａやその近傍であるか否かを問わない）に直接あるいはゴム部材（図示省略）などを介して当接していることが好ましい（図６参照）。
【００３５】
親綱保持部４は、親綱５０を保持するための部分である。この親綱保持部４と親綱５０の間には、必要に応じて緊張器６０が配置される（図２参照）。親綱保持部４としては、例えば、両側の補強板３２を貫通するボルト４２を介して親綱張設装置１に取り付けたカラビナを利用することができる（図２、図３等参照）が、もちろんこの他の器具等を用いることもできる。要は、親綱５０の一端を確実に保持できるものであれば具体的構成が特に限定されることはない。
【００３６】
このような親綱保持部４は、床当接部３の方向Ａにおける所定の巾Ｗにおいてその中央付近に位置するように設けられていることが好ましい。この場合には、親綱５０の張力のうちパラペット２００の延在方向に働く成分によって、親綱張設装置１をパラペット２００の延在する面内において回転させようとするモーメントが時計回りあるいは反時計回りのどちらに作用した場合であっても、反力を外部床１００に負担させて親綱張設装置１の回転を抑制することができる。親綱保持部４としてカラビナを利用する場合には、例えば補強板３２を一対の内側脚部１４の内側に設けて、カラビナの方向Ａの可動範囲を小さくすることにより、カラビナの位置が所定の巾Ｗの中央付近からずれないように配慮してもよい。
【００３７】
具体例を挙げて説明すれば、一対の親綱張設装置１間に張設された親綱５０のフック環５２に安全帯５４を掛けて作業者が実際に作業する場合、親綱５０には、張設された方向とは垂直方向に対しても引っ張り力が作用し、この結果、当該親綱５０、親綱保持部４を介して、親綱張設装置１をパラペット２００の延在する面内において回転させようとする外力が作用する。このような外力が時計回りあるいは反時計回りのどちらに作用した場合でも、親綱保持部４が、床当接部３の中央付近に位置していれば、反力を外部床１００に負担させて親綱張設装置１の回転を抑制することができる。
【００３８】
さらに、本実施形態の親綱張設装置１における親綱保持部４は、外部床１００の表面近傍に位置するように設けられている（図３等参照）。親綱保持部４が外部床１００面から離れた高い位置に設けられていると、そのぶん、親綱５０からの引っ張り力の作用線が外側当接部２２や内側当接部２４よりも高い位置となる結果、親綱張設装置１が内側に倒れるように回転させようとするモーメントが大きくなる。これに対し、上述のように構成されている親綱張設装置１においては、このようなモーメントを抑え、親綱張設装置１がパラペット２００から外れるのを抑制しやすくなる。
【００３９】
上述したように、本実施形態に係る親綱張設装置１においては、当該親綱張設装置１の一部である床当接部３を、パラペット２００以外の箇所である外部床１００の表面に当接させる構造としたことから、親綱５０にテンションをかけた際に作用する反力を分散させ、パラペット２００のみならず外部床１００にも負担させるようにしている。このため、パラペット２００自体が受け持つ反力（負担）を低減することができる。また、本実施形態の親綱張設装置１では、床当接部３を、親綱保持部４のほぼ直下となる部分で外部床１００の表面と当接するように構成したことから、パラペット２００の特に根元部分に作用する曲げモーメント（親綱張設装置１を内側に倒す方向に作用する力）を低減させうる点で好適である。
【００４０】
なお、上述の実施形態は本発明の好適な実施の一例ではあるがこれに限定されるものではなく本発明の要旨を逸脱しない範囲において種々変形実施可能である。例えば、上述の実施形態においては、外部床１００の入隅部１５０に形成された溝１５２の立ち上がり部（溝１５２の底と上端との間の段差形成部）１５２ａが傾斜している場合を示したが（図６等参照）、これは本発明に係る親綱張設装置１が適用可能な外部床１００の一例にすぎない。この他、溝１５２の立ち上がり部１５２ａが垂直になっている（溝１５２が凹形状に形成されており、溝１５２の底面の端部から垂直に壁面が立ち上がっている外部床１００等であっても、上述のごとき親綱張設装置１を適用することができれば、パラペット２００を損傷させるおそれを少なくし、尚かつ、当該親綱張設装置１がパラペットから外れてしまうおそれも少なくすることができることはいうまでもない。
【産業上の利用可能性】
【００４１】
本発明は、外周部にパラペットを備えた外部床上に略水平な親綱を張設する為の親綱張設装置に適用して好適である。
【符号の説明】
【００４２】
１…親綱張設装置
２…挟掴部
３…床当接部
４…カラビナ（親綱保持部）
２２…外側当接部
２４…内側当接部
２６…（挟掴部の）間隔調整機構
２８…ボルト
２８ａ…（ボルトの）頭部
５０…親綱
１００…外部床
１５０…入隅部
１５２…（入隅部の）溝
１５２ａ…溝の立ち上がり部
２００…パラペット
２０２…（パラペットの）外側面
２０４…（パラペットの）内側面
【図１】
2015166541.tif 000003
【図２】
2015166541.tif 000004
【図３】
2015166541.tif 000005
【図４】
2015166541.tif 000006
【図５】
2015166541.tif 000007
【図６】
2015166541.tif 000008